(57)【要約】【課題】墓前に供える果物、菓子等の食物が野犬、またはカラスなどに食い散らかされないようにする。【解決手段】供物を載せる受け皿１と載置した供物を覆い、カラスや野犬が供物を食い散らかすのを防御するカバー２とからなり、受け皿１は、周縁が斜めに傾斜させた皿状であり、受け皿１の底面と側面の適宜の位置に通気孔１３が多数設けてある。カバー２は受け皿１を覆う大きさであり、受け皿１を蓋として覆い、受け皿１に設けた固定穴に固定金具を挿入させて強固に一体化している。カバー２は、上部に設けた把手穴を利用して受け皿への着脱をおこなう。【選択図】図１
0003141558.tif 000002
【実用新案登録請求の範囲】
【請求項１】
底面に排水用の穴を有する受け皿とこの受け皿に着脱自在のカバーとからなる供物容器であって、受け皿の周縁にはカバーの底部に設けた固定金物が挿入される固定穴が形成してあり、カバーには、複数の通気用及びカバー内部確認用の穴が形成してあり、カバーの側面には、受け皿への着脱時に使用するための把手穴が形成してある供物容器。
【請求項２】
請求項１において、受け皿の底部には滑り止めが設けてある供物容器。
【請求項３】
請求項１または２において、カバーが台形を二つ重ねた基板を折り曲げて頂部に三角形の屋根を形成し、側面に三角形の側板を溶接したものである供物容器。
【請求項４】
請求項１または２において、カバーが鼓状の基板を折り曲げて頂部を曲面とし、側面に釣鐘状の側板を溶接したものである供物容器。
【請求項５】
請求項３または４のいずれかにおいて、頂部の前後面の少なくとも一面に家紋の銘板を固定したものである供物容器。
【考案の詳細な説明】
【技術分野】
【０００１】
本考案は、墓前に供する果物、菓子、乾物、花等のお供え物をカラスなどの野鳥が食い散らかしたりするのを防止するための供物容器に関する。
【背景技術】
【０００２】
墓には先祖を供養するため、菓子、果物、酒などのお供え物を墓石の台座に置くことがおこなわれており、供物を置く台を特別に設けている墓もある。
【特許文献１】特開２０００−２１３２０６
【考案の開示】
【考案が解決しようとする課題】
【０００３】
特許文献１（特開２０００−２１３２０６）に開示された供物台は、納骨の作業を容易とすることにより、部材として大きな重量の石を使用することができるようにし、外観に質感を与えるようにしたものである。
菓子や果物などの食物がお供えされる場合があるが、食物がむき出しのまま外に放置されていると、カラス等の野鳥、犬猫などが寄ってきて供物を食い散らかして墓の周囲を汚すことがあり、防止策が望まれていた。
【課題を解決するための手段】
【０００４】
底面に排水用の穴を有する受け皿とこの受け皿に着脱自在のカバーとからなる供物容器であって、受け皿の周縁にはカバーの底部に設けた固定金物が挿入される固定穴が形成してあり、カバーには、複数の通気用及び収納物確認用の穴が形成してあり、カバーの側面には、受け皿への着脱時に使用するための把手穴が形成してある供物容器である。
【考案の効果】
【０００５】
以上のように、露出して墓前に供されていた食物等を、本考案の供物容器に入れることにより、カラス等が食い散らかすのを防止でき、また、風雨が容器内に浸入しても、受け皿の底面に設けられた穴から排出される。
受け皿とカバーは、固定金具によって強固に一体化されており、カラス、犬等がカバーを受け皿から外すことは不可能であり、供物は本考案によって防護される。  
【考案を実施するための最良の形態】
【０００６】
実施例１
図面に基づいて本考案を説明する。
図１の斜視図に示すように、本考案の供物容器は、受け皿１とこの受け皿１に着脱自在なカバー２から構成される。
受け皿１は、図２の平面図に示すように、ステンレス板の中央部に排水用に穴１４とその周囲に長穴１４０を、また、受け皿１の側面１２に穴１３を、受け皿１の縁１１の４隅にはカバー２を固定するための固定用穴１５を適宜の加工機によって形成し、プレスして皿状に形成したものである。長穴１３は、容器内に空気を流通させるものであり、底面の穴１４、１４０は、容器内に浸入した雨水を排出するためのものである。受け皿１の底面の４隅には、受け皿１の移動を防止するための滑り止めとなるゴム製の脚１６が底面に設けた穴に固定してある。  
カバー２の底部には止め金具２５が設けてあり、この止め金具２５が受け皿１の止め穴１５に嵌入して、受け皿１とカバー２は外れないように一体化される。
【０００７】
カバー２は、図３及び図４の展開図に示すように、ステンレス板を図示の形状に切断して形成した基板２００と２枚の側板２０１を組み合わせて形成したものである。基板２００は、台形の基部２１０とそれに続く頂部の台形２１１とからなり、中心線２２０で線対称である。中心線２２０、及び折れ線２２１で図１に示すように折り曲げることにより、頂部は、三角形の屋根２２を構成する。屋根２２の側面は、頂部が中心線２２０側の辺が折れ線２２１より大きな台形としてあり、屋根の頂部が正面から見たときに張り出している。また、基板２００の基部は折れ線２２１で折り曲げてカバー２の水平な縁部３０とし、折れ線２２２で折り曲げて裾３１とし、受け皿１にカバー２を蓋として被せることができるようにしてある。
【０００８】
基板２００の台形の基部２１０には、縦横に長穴２３が多数形成してあり、カバー２の内部に空気が流通し、また、カバー２の内部を見ることができるようにしてある。
側板２０１は、三角形であり、基部に縁部３０と裾３１が形成してあり、基板２００と同様に折り曲げてカバー２を構成する。また、側板の頂部の三角形部分には、カバー２の把手穴２６が形成してある。
この基板２００と２枚の側板２０１を組み合わせ、接合部を溶接し、表面仕上げをして、側板２０１の把手穴２６にゴム製のブッシングを嵌めこみ、カバー２を取り外しする際に指が金属エッジでケガしないようにしてある。
カバー２の頂部には、三角の屋根２２が設けてあり、前面には家紋を記した銘板５０を取り付けるための穴２４が形成してあり、裏面に墓地を管理する寺の家紋５１の銘板を取り付ける。
【０００９】
カバー２の縁の４隅には、受け皿１の止め穴１５と対応する位置に、止め穴１５に挿入可能な突起２５をネジ止めまたは溶接で取り付け、カバー２と受け皿１が強固に一体化されるようにする。従って、カラス等がカバー２を受け皿１から取り外すことは不可能であり、供養容器内の供物がカラスに食い散らかされることはない。
実施例１の供物容器の平面図を図５に、正面図を図６に、側面図を図７に示す。なお、側板２０１の斜辺と屋根２２側面のなす角度θは約１２６度としてあり、屋根２２の側面は頂部が張り出しており、デザイン的に重厚さを印象付けるものである。
【００１０】
実施例２
図８に示すように、実施例２の受け皿１は、実施例１と同じであるので、受け皿１の説明は省略する。実施例２のカバー２は、曲面を利用してドーム状にしてある。カバー２を構成する基板２０３は、図９に示すように、ステンレス板を鼓状に切り出したものであり、頂部の両側に家紋等の銘板５０を固定するための穴２４が表側と裏側の両側に形成してある。基板２０３の基部は実施例１と同様に、折り曲げてカバー２の水平な縁部３０とし、更に先端部を折り曲げて裾３１とし、受け皿１にカバー２を蓋として被せることができるようにしてある。
また、カバー２の側板２０４は、図１０に示すように釣鐘状であり、基板２０３を図８、図１１に示すように折り曲げ、側方の空洞を側板２０４を溶接して一体化してドーム状のカバー２を作り上げる。図１２は、カバーの正面図、図１３は側面図である。
基部の固定用金具等については実施例１と同様であるので説明は省略する。
【図面の簡単な説明】
【００１１】
【図１】本考案の実施例１の斜視図。
【図２】受け皿の平面図。
【図３】実施例１のカバーの基板の展開図。
【図４】実施例１のカバーの側板の展開図。
【図５】実施例１のカバーの平面図。
【図６】実施例１のカバーの正面図。
【図７】実施例１のカバーの側面図。
【図８】実施例２の斜視図。
【図９】実施例２のカバーの基板の展開図。
【図１０】実施例２のカバーの側板の展開図。
【図１１】実施例２のカバーの平面図。
【図１２】実施例２のカバーの正面図。
【図１３】実施例２のカバーの側面図。
【符号の説明】
【００１２】
１    受け皿
１１  縁
１５  止め穴
２    カバー
２２  屋根
２５  止め金具
２６  把手穴
２００基板
２０１側板
３０  縁部
３１  裾
【図２】
0003141558.tif 000003
【図３】
0003141558.tif 000004
【図４】
0003141558.tif 000005
【図５】
0003141558.tif 000006
【図６】
0003141558.tif 000007
【図７】
0003141558.tif 000008
【図９】
0003141558.tif 000009
【図１０】
0003141558.tif 000010
【図１１】
0003141558.tif 000011
【図１２】
0003141558.tif 000012
【図１３】
0003141558.tif 000013
【図１】
0003141558.tif 000014
【図８】
0003141558.tif 000015